(57)【要約】【課題】公知の球体表面の単純な平面設計を改善し、メディシンボールにカジュアルな視覚効果と、文化芸術的外観及びその本体が備える機能の他に、体を鍛え、芸術効果も備えるインレイド球面形状を備えたメディシンボールを提供する。      【解決手段】インレイド球面形状を備えたメディシンボールは、一般メディシンボール、もしくはグリップ式メディシンボールの表面を金型で成形する時に、メディシンボールの表面に成形したインレイド形状を設置加工する。【選択図】図４
0003159021.tif 000002
【実用新案登録請求の範囲】
【請求項１】
インレイド球面形状を備えたメディシンボールにおいて、
一般のメディシンボールの表面を金型で成形する時に、その表面に成形したインレイド形状を設置加工することを特徴とするインレイド球面形状を備えたメディシンボール。
【請求項２】
前記インレイド形状は、グリップ式メディシンボール上に設置加工してもよいことを特徴とする請求項１記載のインレイド球面形状を備えたメディシンボール。
【考案の詳細な説明】
【技術分野】
【０００１】
本考案は、インレイド球面形状を備えたボールに関するもので、特に、健康維持作用を形成するメディシンボールに関する。
【背景技術】
【０００２】
図１及び図３に示すのは、公知メディシンボールと公知グリップ式メディシンボールの指示図である。図に示すとおり、所謂メディシンボールとは、一般の運動用の球体と同じくゴム材から作られている。
違いは、球皮の厚みとゴム材の使用量であり、一般の運動用のボール球皮は比較的薄く、メディシンボールの球皮は比較的厚い。そのため、メディシンボールのゴム材の使用量が多くなり、依って比較的重量が重くなり、例として、２Ｋｇ、４Ｋｇ、８Ｋｇ以上等々の重量となる。重量のある球体となるため、筋肉トレニーング、体力訓練、もしくは身体機能回復のためのリハビリに適し、適度な運動もしくはリハビリにより、体力回復及び強化が期待でき、疾病予防となり、薬を用いずに健康を保持することからメディシンボールと呼ばれる。
【０００３】
図１及び図３に示す公知のメディシンボールは、一般のメディシンボール１０とグリップ式メディシンボール３０に区別され、二者の違いはボールの使い方と便利性にある。公知の一般のメディシンボール１０とグリップ式メディシンボール３０は、単純な球体表面設計で、他には球面の印刷に色彩もしくは図案を入れるだけで、その他の意義や目的を備えない。
【先行技術文献】
【特許文献】
【０００４】
【特許文献１】実用新案登録第３１１２８０１号公報
【特許文献１】実用新案登録第３０８８０３９号公報
【考案の概要】
【考案が解決しようとする課題】
【０００５】
解決しようとする問題点は、公知のメディシンボールが単純な球体表面設計で、他には球面の印刷に色彩もしくは図案を入れるだけで、その他の意義や目的を備えない点である。
【課題を解決するための手段】
【０００６】
本考案は、主に一般メディシンボール、もしくはグリップ式メディシンボールの表面を金型で成形した時のその表面に、成形したインレイド形状を設置加工することを最も主要な特徴とする。更に、公知球体表面の単純な平面設計を改善し、該メディシンボールにレジャー使用と視覚効果、文化芸術的外観を兼備させ、更にその本体に備えた機能の他に、健康維持作用を形成するものである。
【考案の効果】
【０００７】
本考案のインレイド球面形状を備えたメディシンボールは、公知の球体表面の単純な平面設計を改善し、該メディシンボールにカジュアルな視覚効果と、文化芸術的外観及びその本体が備える機能の他に、体を鍛え、芸術効果も備えるという利点がある。
【図面の簡単な説明】
【０００８】
【図１】公知メディシンボールの指示図である。
【図２】本考案のメディシンボールの指示図である。
【図３】公知グリップ式メディシンボールの指示図である。
【図４】本考案の実施例のグリップ式メディシンボールの指示図である。
【図５】本考案の実施例のインレイド形状の指示図である。
【図６】本考案の実施例のインレイド形状の指示図である。
【図７】本考案の別の実施例のインレイド形状の指示図である。
【図８】本考案の別の実施例のインレイド形状の指示図である。
【考案を実施するための形態】
【０００９】
本考案は、一般のメディシンボールもしくはグリップ式メディシンボールの表面に嵌め込み細工や象眼細工のインレイドの形状を設置加工し、ボールを単純な球平面形状だけでなく、カジュアルな視覚効果、文化芸術的外観及びその本体の元来の機能を備える事を主な目的とする。
【００１０】
また、本考案は、一般のメディシンボールもしくはグリップ式メディシンボールの表面にインレイドの形状を設置加工し、健康増進、カジュアルな芸術的外観に変化作用と効果を備えることを次の目的とする。
【００１１】
本考案は、前述の目的のため、本考案は、主に一般のメディシンボールもしくはグリップ式メディシンボールの表面を金型で成形した時のその表面に成形したインレイド形状を設置する。
【００１２】
本考案の目的、特徴及び効果を下述で具体的な実施例を挙げ、図式と共に下述に説明する。
【実施例】
【００１３】
本考案の嵌め込み細工や象眼細工であるインレイド球面形状を備えたメディシンボールの実施例１は、図２及び図４に示すのは、それぞれメディシンボールとグリップ式メディシンボールの指示図である。
図に示すとおり、主に一般メディシンボール２０もしくはグリップ式メディシンボール４０の表面を金型で成形する時に、ボール４０の表面に成形したインレイド形状２１、４１を設置加工し、インレイド(嵌め込み細工や象眼細工）形状２１、４１のエンボス外観により、ボールにカジュアルな視覚効果と文化芸術的作用を与え、更にはマッサージ作用と效果（体の背部や足部をマッサージする）も備えるものである。
【００１４】
図５及び図６に示すのは、本考案の実施例１のインレイド形状の指示図である。図に示すとおり、一般メディシンボール２０上のそれぞれのインレイド形状２２、２２’には  運動状態のインレイド形状であり、そのうち、図５は一般のメディシンボール２０上部(図５で下側球面）にインレイド方式で成形したもので、図６は一般のメディシンボール２０下部(図６で下側球面)にインレイド方式を形成したものである。
【００１５】
図７及び図８に示すのは、本考案の別の実施例のインレイド形状の指示図である。図に示すとおり、一般のメディシンボール２０上のインレイド形状２３、２３’は文字のインレイド形状で、そのうち、図７は一般のメディシンボール２０上部(図７で下側球面)の形状がインレイド方式で、図８は一般のメディシンボール２０下部(図８では下側球面)の形状がインレイド方式である。
【００１６】
以上のように、本考案の実施例によれば、インレイド球面形状を備えたメディシンボールは、公知の球体表面の単純な平面設計を改善し、メディシンボールにインレット設置加工によりカジュアルな視覚効果と、文化芸術的外観及びその本体が備える機能の他に、体を鍛え、芸術効果も備えることができる。
なお、本考案の特徴を損なうものでなければ、上記の実施例に限定されるものでないことは勿論である。また、本考案は実用性と利用価値を備え、実用新案登録の要件に符号する。
【符号の説明】
【００１７】
１０        メディシンボール
２０        メディシンボール
２１        インレイド形状
２２        インレイド形状
２２´      インレイド形状
２３        インレイド形状
２３´      インレイド形状
３０        グリップ式メディシンボール
４０        グリップ式メディシンボール
４１        インレイド形状
【図１】
0003159021.tif 000003
【図２】
0003159021.tif 000004
【図３】
0003159021.tif 000005
【図４】
0003159021.tif 000006
【図５】
0003159021.tif 000007
【図６】
0003159021.tif 000008
【図７】
0003159021.tif 000009
【図８】
0003159021.tif 000010
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
インレイド球面形状を備えたメディシンボールにおいて、
該メディシンボールの表面を金型で成形する時に、その表面に成形したインレイド形状を設置加工することを特徴とするインレイド球面形状を備えたメディシンボール。
【請求項２】
前記インレイド形状は、グリップ式メディシンボール上に設置加工してもよいことを特徴とする請求項１記載のインレイド球面形状を備えたメディシンボール。